(57)【要約】【課題】ケーシングと便座を連結する便座コードが露出することによる、外観上や使い勝手上の不具合の生じない暖房便座装置を提供する。【解決手段】ケーシング１０の一対のヒンジ部２と、便座３の一対のサポートブロック５Ａとは、着脱自在に構成される。ここで、便座コード１５は、ケーシング１０の一方のヒンジ部２の近傍から、反対側のサポートブロック５Ａの近傍に亘って対角状に配線されるので、便座３を閉じた状態では、便座コード１５は便座３によって隠れる。このため、使い勝手に影響することもなく、外観も向上する。【選択図】　図２
2004121437.tif 000002
【特許請求の範囲】
【請求項１】
内部にコントローラーを収納し前面側に一対のヒンジ部を有するケーシングと、ヒータを内蔵するとともに前記ヒンジ部に回動自在に支持される一対の腕部を有する便座部と、前記ケーシングの一方のヒンジ部近傍から反対側の腕部近傍に亘って対角状に配線してなる便座コードとからなる暖房便座装置。
【請求項２】
前記便座の端面または底面に、前記便座コード中途部を固定するフック部を設けた請求項１記載の暖房便座装置。
【請求項３】
前記ケーシングと前記便座部が着脱自在に構成されてなる請求項１若しくは請求項２記載の暖房便座装置。
【発明の詳細な説明】
【０００１】
【発明の属する技術分野】
本発明は、たとえば局部洗浄機能を持つ温水洗浄便座における暖房便座に係り、特にヒータへの通電用のコードの配線構造に関する。
【０００２】
【従来の技術】
局部洗浄機能を持つ温水洗浄便座は、局部洗浄機能、脱臭機能及び便座暖房機能等をまとめてケーシング内に備え、このケーシングに便座と便蓋とを連結して便器に据え付けるのが一般的な構成である。図７は、従来のコード露出型の衛生洗浄装置１を示しており、便器本体５０にはその背部側のリムの上面を利用して衛生洗浄装置１のケーシング５１を固定し、このケーシング５１には便座５２及び便蓋５３をそれぞれ開閉自在に取り付けている。衛生洗浄装置１は、そのケーシング５１の内部に局部洗浄用のノズル装置や洗浄水の供給配管及びコントローラ等を備え、便座５２の暖房の制御も含めて行う機能を持ち、その操作はケーシング５１に備えた操作盤５１ａまたはリモートコントローラを使用して行う。便座５２に暖房機能を持たせる場合では、その内部に加熱用のヒータを設け、ケーシング５１に備えたコントローラとの間にコード５４を配線する（例えば、特許文献１参照）。このコード５４は、図示のようにケーシング５１及び便座５２のそれぞれの側面にブッシュ５４ａ、５４ｂによって固定保持され、便座５２の開閉動作に追従できるように下に少し垂れ下がる長さとしたり、伸縮可能なコイル状のものが使用される。
【０００３】
【特許文献１】
特開平９−２１５６３７号公報
【０００４】
【発明が解決しようとする課題】
図７に示したように、コード５４が外に露出するものでは、外観上の点で劣り、使い勝手にも少なからず影響を与え兼ねない。特に、ケーシングに対して着脱自在とするものは、コードの長さを便座の取り外しに備えて少し長くしておく必要がある。従って、上記問題をさらに助長することになっていた。すなわち、図７のようにケーシング５１の側面からにコード５４を配線するので、便座５２と便蓋５３とをケーシング５１から取り外せるようにするには、コード５４を余分に長くすることになり、外観上の問題は無視できず、また使い勝手にも影響を及ぼすことになる。
【０００５】
本発明は、上記課題を解決するためになされたもので、本発明の目的は、ケーシングと便座を連結する便座コードが露出することによる外観上や使い勝手上の不具合の生じない暖房便座装置を提供することにある。
【０００６】
【課題を解決するための手段及びその作用・効果】
上記課題を解決するために請求項１は、内部にコントローラーを収納し前面側に一対のヒンジ部を有するケーシングと、ヒータを内蔵するとともに前記ヒンジ部に回動自在に支持される一対の腕部を有する便座部と、前記ケーシングの一方のヒンジ部近傍から反対側の腕部近傍に亘って対角状に配線してなる便座コードとからなる暖房便座装置であるため、便座を閉じた状態では、コードは便座によって隠れるので、使い勝手に影響することもなく、外観も向上する。
【０００７】
また、請求項２では、請求項１に加え、前記便座の端面または底面に、前記便座コード中途部を固定するフック部を設けたので、便座回動時において便座コードを便座後端とケーシングの間に挟み込む心配がない。
【０００８】
また、請求項３では、請求項１若しくは請求項２に加え、便座をケーシングから着脱できるようにしているが、対角状に便座コードが配線されている本発明ではその長さが確保されており、取り外しの際に便座コードが引っ張られる心配も少なく、さらに便座を本体側面の清掃の邪魔にならない位置に移動でき、ケースカバー及びヒンジ部周辺と便座コード自身の拭き掃除等が可能となる。
【０００９】
【発明の実施の形態】
以下、本発明の実施の形態を図面に基づいて説明する。本発明の暖房便座装置の例を説明するために、暖房機能を有した局部洗浄用の衛生洗浄装置を例として用いる。
【００１０】
図１は、本発明の便座コードの配線を備えた衛生洗浄装置１の便座を上げた状態の図であり、図２は、便座をケーシングより取り外した状態の図である。図に示すようにケーシング１０は前面側に一対のヒンジ部２を有しており、ヒンジ部２に対して、便座３は一対の腕部に着脱機構を有したサポートブロック５Ａを介して回動自在に連接されている。また、ケーシング１０の一方のヒンジ部２近傍より便座コード１５の一端が接続され、便座３の反対側の腕部近傍に対角状に配線されている。さらに便座３の後端面には、フック部１２が設けられており、便座コード１５の中途部が固定されている。これにより、便座コード１５は便座３とケーシング１０の間に位置されるので、便座３の開閉動作に影響を及ぼすことなく、図６に示すように便座３を閉じている限りにおいては外観上現れることがない。
【００１１】
図３は、便座３に有する一対の腕部に組み付けられているサポートブロック５Ａとケーシング１０の前面に有する一対のヒンジ部２との連接構造を示す斜視図である。図において、サポートブロック５Ａには、樹脂等から形成されるカバー５ｇが設けられ、支持孔５ｃと同心円形状に若干突出して設けた支持ガイド５ｉに、ガイド５ｇに設けた支持ガイド５ｉと略同一形状の回動孔５ｈを回動自在に軸支することにより、サポートブロック５Ａとカバー５ｇは一体化される。カバー５ｇの裾部内側にはロック爪５ｊが設けられ、両側には把手部５ｋが一体に設けられている。また、ヒンジ部２の前壁には、ロック爪５ｊが係合する係止溝２ｂが設けられる。なお、カバー５ｇの側壁基端部内側には第２ロック爪５ｍが設けられ、サポートブロック５Ａには、第２ロック爪５ｍが弾性係合する第２係止溝５ｎが設けられる。
【００１２】
図４は、図３のＸ−Ｘ’断面図である。図より明らかなように、連接状態では、ロック爪５ｊが係止溝２ｂに係合しているので、この状態では、サポートブロック５Ａとケーシング２の係合は外れない。この際、上記カバー５ｇの第２ロック爪５ｍとサポートブロック５Ａの第２係止溝５ｎとにより、回動方向も規制される。係合を外したい場合は、把手５ｋに指をかけて、第２ロック爪５ｍと第２係止溝５ｎとの弾性係合を解除して、カバー５ｇを回動することにより、ロック爪５ｊと係止溝２ｂとの係合が解除され、便座３等を上方に持ち上げることでサポートブロック５Ａとヒンジ部２の係合を外すことができる。
【００１３】
この際、便座コード１５を対角配置しているので比較的コードが長いため、図２の状態、さらには図５に示すようにケーシング１０の側面に便座３を移動することができ、実使用においては便器（図示しない）側面に立てかけることが可能となり、ケーシング１０やヒンジ部２周辺あるいは便座コード１５自身も清掃しやすくなる。
【図面の簡単な説明】
【図１】本発明の便座を上げた状態を示す図
【図２】便座をケーシングより取り外した状態を示す図
【図３】サポートブロックおよびヒンジ部の斜視図
【図４】図３におけるＸ−Ｘ’断面図
【図５】便座をケーシングより取り外した状態を示す図
【図６】本発明の便座を閉じたときの状態を示す斜視図
【図７】従来の露出型のコード配線構造を示す図
【符号の説明】
１…衛生洗浄装置
２…ヒンジ部
３…便座
５Ａ…サポートブロック
１０…ケーシング
１２…フック部
１５…便座コード
５０…便器本体
５１…ケーシング
５２…便座
５３…便蓋
５４…コード
【図１】
2004121437.tif 000003
【図２】
2004121437.tif 000004
【図３】
2004121437.tif 000005
【図４】
2004121437.tif 000006
【図５】
2004121437.tif 000007
【図６】
2004121437.tif 000008
【図７】
2004121437.tif 000009